(57)【要約】【課題】外部装置からのＮｏｄｅＢ情報等の転送するオーバヘッドを削減でき、システム構成変更の時間を短縮する移動体通信システム等を提供することを提供すること。【解決手段】移動体通信システムは、機能エンティティはＲＮＣの障害を検出すると、隣接ＲＮＣにＲＮＣ配下のＮｏｄｅＢとのリンク確立を行うためのトリガをかけ、隣接ＲＮＣは、トリガを受けるとＲＮＣ配下のＮｏｄｅＢとのリンク確立を行い、さらに隣接ＲＮＣ同士をグルーピングして、その中でＮｏｄｅＢ情報が含まれる局データを共有する。【選択図】図１
2009200742.tif 000002
【特許請求の範囲】
【請求項１】
機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行う移動体通信システムであって、
隣接ＲＮＣ同士をグルーピングして、その中でＮｏｄｅＢ情報が含まれる局データを共有することを特徴とする移動体通信システム。
【請求項２】
ＲＡＮの中の既存ノードもしくは新規ノード内に機能エンティティを設け、移動体通信システムを構成する各ノードのリソース状態、装置状態等の管理を行い、そのエンティティがあるノードが障害になったことを検出すると、隣接するノードにその情報を通知し、保持している他RNCの局データをもとに隣接ＲＮＣ配下にある全て若しくは一部のＮｏｄｅＢと直接にリンク確立を行うことを特徴とする請求項１記載の移動体通信システム。
【請求項３】
機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行う移動体通信システムであって、
隣接ＲＮＣ同士をグルーピングして、その中でＮｏｄｅＢ情報が含まれる局データを共有する移動体通信システムにおける通信装置。
【請求項４】
ＲＡＮの中の既存ノードもしくは新規ノード内に機能エンティティを設け、移動体通信システムを構成する各ノードのリソース状態、装置状態等の管理を行い、そのエンティティがあるノードが障害になったことを検出すると、隣接するノードにその情報を通知し、保持している他RNCの局データをもとに隣接ＲＮＣ配下にある全て若しくは一部のＮｏｄｅＢと直接にリンク確立を行うことを特徴とする請求項３記載の移動体通信システムにおける通信装置。
【請求項５】
機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行い、
隣接ＲＮＣ同士をグルーピングして、その中でＮｏｄｅＢ情報が含まれる局データを共有することを特徴とする移動体通信システムの構成変更方法。
【請求項６】
ＲＡＮの中の既存ノードもしくは新規ノード内に機能エンティティを設け、移動体通信システムを構成する各ノードのリソース状態、装置状態等の管理を行い、そのエンティティがあるノードが障害になったことを検出すると、隣接するノードにその情報を通知し、保持している他RNCの局データをもとに隣接ＲＮＣ配下にある全て若しくは一部のＮｏｄｅＢと直接にリンク確立を行うことを特徴とする請求項５記載の移動体通信システムの構成変更方法。
【発明の詳細な説明】
【技術分野】
【０００１】
本発明は、本発明は、移動体通信システムにおいて、ＲＡＮ(Radio Access NetworkがＩＰ化し、ＲＮＣＮｏｄｅＢ間の関係が完全群となったシステムの構成管理および変更を行う技術に関する。
【背景技術】
【０００２】
ＡＴＭネットワークは、様々な特性を持つトラフィックに対して、充実したトラフィック管理や品質制御機能を持ち、回線交換サービスのみならずパケット交換サービスを転送するために有効な技術である。このように回線交換とパケット交換を同一アーキテクチャで実現し、品質制御やオペレーションを統合的にできるなど、ＡＴＭの利点は大きかった。
【０００３】
また、３ＧＰＰ Ｒｅｌｅａｓｅ９９ではＲＡＮにＡＴＭを適応されていることもあり、移動体通信システムのＲＡＮにはＡＴＭネットワークが広く利用されてきた。しかし、広い範囲をカバーするためにはＡＴＭ回線を敷き詰める必要があり、導入コストが高いことや運用コストが高くなってしまうなどの問題もある。そのため、ＲＡＮにおけるＲＮＣＮｏｄｅＢ間は完全群として接続するのではなく従属関係を保ったまま接続されており、ＲＮＣＮｏｄｅＢ間の従属的な関係を超えた制御はできない。
【０００４】
関連するＣＤＭＡ移動体通信システムにおいて、図８にあるとおりＲＮＣとＮｏｄｅＢ間は従属関係があり、ＲＮＣが障害になるとその配下にいる全ユーザへのサービスは提供できなくなる。これは、このシステムがＡＴＭネットワークによって提供されていたため、導入・運用コストの問題もありＲＮＣＮｏｄｅＢ間に従属関係を持たせて、固定的に経路が張られていたためである。
【０００５】
しかし、ＩＰの爆発的な発展によりサービスが多様化し、ＲＡＮにおいてもＩＰ網との親和性を深める事やランニングコストの削減を目的として、ＲＡＮのＩＰ化という動きが出てきている。ＩＰ化されたＲＡＮにおいては、ＲＮＣＮｏｄｅＢの関係は完全群として構成することができ、装置状態やリンク状態を管理するような機能エンティティを設けることで以下のような従来の課題を解決できる。
【０００６】
第一の課題は、ＲＮＣＮｏｄｅＢ間に従属関係があり、あるノードの状態が障害若しくは過負荷状態にあるときは、その配下にある全ユーザへのサービスが提供できない。
【０００７】
第二の課題は、あるノードが障害となっても他ノードとのリンクは確立されたままであり、不正パケットの送信などにより他ノードへ影響を与えてしまう。
【０００８】
第三の課題は、隣接ＲＮＣのリソースに空きが十分にあるにも関わらず、従属関係が無いためそのリソースが十分に活用されない。
【０００９】
関連技術として、ＵＰＥ＃１の障害が監視制御装置に通知されると、監視制御装置がＮｏｄｅＢ＃１、ＣＰＥ＃１、ＣＰＥ＃２に対してセル設定変更を指示し、その結果ＮｏｄｅＢのＵＰＥ＃２への収容替えが終了する技術が開示されている（例えば、特許文献１参照）。
【特許文献１】再特ＷＯ２００４／０９３４８１号公報
【発明の開示】
【発明が解決しようとする課題】
【００１０】
しかしながら、上述の関連技術は、隣接ＲＮＣ同士をグルーピングして、その中でＮｏｄｅＢ情報が含まれる局データを共有することで、外部からのセル変更指令や局データ相当のデータを転送するオーバヘッドを削減でき、より短時間のサービス中断で収容替えを行うことは困難であるという問題があった。
【００１１】
本発明は、以上のような課題を解決するためになされたもので、外部装置からのＮｏｄｅＢ情報等の転送するオーバヘッドを削減でき、システム構成変更の時間を短縮する移動体通信システム、通信装置および構成変更方法を提供することを目的とする。
【課題を解決するための手段】
【００１２】
本発明の移動体通信システムは、機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行う移動体通信システムであって、
隣接ＲＮＣ同士をグルーピングして、その中でＮｏｄｅＢ情報が含まれる局データを共有することを特徴とする。
【００１３】
また、本発明の通信装置は、機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行う移動体通信システムであって、
隣接ＲＮＣ同士をグルーピングして、その中でＮｏｄｅＢ情報が含まれる局データを共有する移動体通信システムにおける通信装置である。
【００１４】
また、本発明の移動体通信システムの構成変更方法は、機能エンティティはＲＮＣの障害を検出すると、隣接ＲＮＣに前記ＲＮＣ配下のＮｏｄｅＢとのリンク確立を行うためのトリガをかけ、隣接ＲＮＣは、前記トリガを受けると前記ＲＮＣ配下のＮｏｄｅＢとのリンク確立を行い、
隣接ＲＮＣ同士をグルーピングして、その中でＮｏｄｅＢ情報が含まれる局データを共有することを特徴とする。
【発明の効果】
【００１５】
本発明によれば、外部装置からのＮｏｄｅＢ情報等の転送するオーバヘッドを削減でき、システム構成変更の時間を短縮することが可能となる。
【発明を実施するための最良の形態】
【００１６】
以下、本発明の第一の実施の形態について図面を参照して詳細に説明する。図１を参照すると、発明の一実施の形態としての接続形態が示されている。同図中に示す実施の形態は、移動機ＵＥ１０１、無線基地局ＮｏｄｅＢ(２０１〜２０４)、基地局制御局ＲＮＣ(３０１,３０２)、コアネットワークＣＮ４０１、構成管理用のエンティティ５０１より構成される。
【００１７】
ＵＥ１０１は、ＮｏｄｅＢ(２０１〜２０３)が提供する無線エリアを移動し、呼発信および着信の機能を持つ。
【００１８】
ＮｏｄｅＢ(２０１〜２０４)は、ＵＥ１０１と無線通信接続およびＲＮＣ(３０１,３０２)と有線通信接続を行い、信号の送受信を行う機能を持つ。また、エンティティ５０１に対して、定期的に自身のリソース使用状態や装置状態を報告する機能、リソース状態や装置状態を収集する要求に対して応答する機能を持つ。また、従属関係に無いＲＮＣからの要求に従いリンク確立を行う機能を持つ。
【００１９】
ＲＮＣ(３０１,３０２)は、通常は自ＲＮＣの局データに従った配下のＮｏｄｅＢ(２０１〜２０４)及びＣＮ４０１と有線通信接続を行い、信号の送受信を行う機能を持つ。また、エンティティ５０１に対して、定期的に自身のリソース使用状態や装置状態を報告する機能、リソース状態や装置状態を収集する要求に対して応答する機能を持つ。さらに、他ノード状態の通知メッセージを受信し、他ＲＮＣの局データをもとに他ＲＮＣ配下にある全て若しくは一部のＮｏｄｅＢとのリンク確立又は解放を行う機能を持つ。
【００２０】
エンティティ５０１は、ＮｏｄｅＢ/ＲＮＣ内部に存在する機能エンティティ若しくは新規装置であり、ＮｏｄｅＢ(２０１〜２０４)やＲＮＣ(３０１,３０２)の状態を管理し、その情報を隣接ノードに通知する機能、また問い合わせがあったノードに対して管理している情報の収集要求に対して応答する機能を持つ。
【００２１】
ＣＮ(４０１)は、ＲＮＣ(３０１,３０２)と有線通信接続を行う機能を持つ。
【００２２】
図２において、隣接するＲＮＣ３０１,３０２は同一グループとして定義され、各ＲＮＣは同一グループ内の全局データ６０１,６０２を保持する。ここで、局データ６０１,６０２とは、それぞれＲＮＣ３０１,３０２配下のＮｏｄｅＢ情報等を含む局ごとの設定パラメータの集まりである。各ＲＮＣが保持する局データをグループ内に限ることで、ＲＮＣ装置の増加によってディスク容量を圧迫するなどの懸念も無くなる。
【００２３】
次に図３から図５を使用して、エンティティによってＲＮＣ障害を検出し、システム構成を変更するまでの説明を行う。
【００２４】
図３において、構成管理用エンティティ５０１は、ＲＮＣ３０１のリソース状態や装置状態の情報が定期的に収集する。情報収集ができずＲＮＣ３０１がサービス不可能な障害になったと判断すると、エンティティ５０１で保持しているＲＮＣ３０１の情報を「使用不可」として更新する。また、隣接ノードに対してその情報を通知し、使用不可となったＲＮＣ配下にあるＮｏｄｅＢとのリンク確立を行うようにトリガをかける。
【００２５】
図４において、ＲＮＣ３０２はエンティティ５０１から通知されたグループ内ＲＮＣの局データをもとに、ＲＮＣ３０１に属していたＮｏｄｅＢ(２０１,２０２)とのリンク確立を開始する。IP網においては、ルーティング制御により他ＲＮＣ配下に属するＮｏｄｅＢに対してもダイレクトにリンク確立をすることが可能である。
【００２６】
図５において、ＲＮＣ３０２-ＮｏｄｅＢ(２０１,２０２)間のリンクが確立すると、実質的にＲＮＣ３０１を経由するルートが削除され、ＲＮＣ３０２を介して有線通信が迂回されることになり、ネットワーク自律での構成変更が可能となる。
【００２７】
次に図６から図７を使用して、エンティティによって障害ＲＮＣの復旧を検出し、システム構成を元に戻すまでの説明を行う。
【００２８】
図６において、定期的に各ノードのリソース状態や装置状態を収集し、ＲＮＣ３０１とのコネクションが再接続され情報収集が可能となると、隣接ノードに対してＲＮＣ３０１が復旧した旨を通知する。
【００２９】
図７において、ＲＮＣ３０２はエンティティ５０１からＲＮＣ３０１が復旧した旨の通知を受信すると、ＮｏｄｅＢ(２０１,２０２)とのリンクを解放する。
【００３０】
以上説明したように、本発明においては、ＩＰ化されたＲＡＮにおいて、論理的な機能エンティティによって構成を管理し、その管理情報に基づいて構成変更を自律で行うことで、以下に記載するような効果を奏する。
【００３１】
第一の効果は、障害になったノード配下に存在しているユーザへのサービスを継続して提供することが可能となる。
【００３２】
第二の効果は、障害ノードが自律的にネットワークから切り離され、他ノードへの影響を最小限に抑えることが可能となる。
【００３３】
第三の効果は、空きのある隣接ノードのリソースを有効に活用することが可能となる。
【００３４】
さらに、隣接ＲＮＣ同士をグルーピングし、そのグループ内で局データを共有することで、以下に記載するような効果も奏する。
【００３５】
第四の効果は、外部装置からのＮｏｄｅＢ情報等の転送するオーバヘッドを削減でき、システム構成変更の時間を短縮することが可能となる。
【００３６】
第五の効果は、グループ内ＲＮＣの局データのみを共有することで、システム拡大に伴う将来的なディスク容量不足の問題を解消できる。
【００３７】
本発明の他の実施の形態として、その基本構成は上記のとおりであるが、エンティティによって管理する情報は、リソース状態や装置状態に限られず、ＣＰＵ使用率やリンク状態などその装置で管理している全ての情報を含む。
【００３８】
隣接ＲＮＣ配下のＮｏｄｅＢとのリンク確立は、全てのＮｏｄｅＢと必ずリンクを確立するわけではなく、ＲＮＣで許容できるリソースの関係で一部のＮｏｄｅＢとのリンク確立を行うこともある。
【００３９】
なお、上述する各実施の形態は、本発明の好適な実施の形態であり、本発明の要旨を逸脱しない範囲内において種々変更実施が可能である。例えば、各装置の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００４０】
【図１】本発明の実施の形態に係るシステム構成を示す図である。
【図２】本発明の実施の形態に係る隣接するＲＮＣ３０１,３０２は同一グループとして定義されることを示す図である。
【図３】本発明の実施の形態に係るエンティティによってＲＮＣ障害を検出し、システム構成を変更するまでを示す図である。
【図４】本発明の実施の形態に係るエンティティによってＲＮＣ障害を検出し、システム構成を変更するまでを示す図である。
【図５】本発明の実施の形態に係るエンティティによってＲＮＣ障害を検出し、システム構成を変更するまでを示す図である。
【図６】本発明の実施の形態に係るエンティティによって障害ＲＮＣの復旧を検出し、システム構成を元に戻すまでを示す図である。
【図７】本発明の実施の形態に係るエンティティによって障害ＲＮＣの復旧を検出し、システム構成を元に戻すまでを示す図である。
【図８】関連するＣＤＭＡ移動体通信システムを示す図である。
【符号の説明】
【００４１】
１０１    移動機ＵＥ
２０１〜２０４    無線基地局ＮｏｄｅＢ
３０１,３０２    基地局制御局ＲＮＣ
４０１    コアネットワークＣＮ
５０１    構成管理用のエンティティ
【図１】
2009200742.tif 000003
【図２】
2009200742.tif 000004
【図３】
2009200742.tif 000005
【図４】
2009200742.tif 000006
【図５】
2009200742.tif 000007
【図６】
2009200742.tif 000008
【図７】
2009200742.tif 000009
【図８】
2009200742.tif 000010